(57)【要約】【課題】印影が適切に押印されたものであるか否かを精度よく判定する。【解決手段】情報処理装置１は、印影のイメージ６から印影の押印状態を判定し、判定結果８を得る。情報処理装置１は、イメージ取得部２と抽出部３と測定部４と判定部５とを備える。イメージ取得部２は、印影のイメージ６を取得する。抽出部３は、取得した印影のイメージ６から印影枠７を抽出する。印影枠７とは、印影の中で印鑑枠の印影に相当する部分である。測定部４は、抽出した印影枠７の幅を所定間隔で測定する。所定間隔とは、位置、角度、距離などによって定められた間隔である。判定部５は、印影枠７の幅の測定結果が有する規則性にもとづいて押印状態を判定する。【選択図】図１
2014044695.tif 000002
【特許請求の範囲】
【請求項１】
印影のイメージを取得するイメージ取得部と、
前記イメージから前記印影の印影枠を抽出する抽出部と、
前記印影枠の幅を所定間隔で測定する測定部と、
前記印影枠の幅の測定結果が有する規則性にもとづいて前記印影の押印状態を判定する判定部と、
を備えることを特徴とする情報処理装置。
【請求項２】
前記判定部は、前記印影枠の形状を判定し、前記印影枠の形状が有する規則性と、前記測定結果が有する規則性とを比較して、前記印影の押印状態を判定することを特徴とする請求項１記載の情報処理装置。
【請求項３】
前記判定部は、前記印影枠の形状毎に、前記印影枠の形状が有する規則性に関する情報をあらかじめ保持することを特徴とする請求項２記載の情報処理装置。
【請求項４】
前記判定部は、モデルとなる印影枠の形状が有する規則性を１つ以上保持し、判定した前記印影枠の形状にもとづいて前記モデルとなる印影枠の形状が有する規則性を選択し、前記印影枠の形状に応じて前記モデルとなる印影枠の形状が有する規則性を補正することを特徴とする請求項２記載の情報処理装置。
【請求項５】
前記判定部は、前記印影枠の幅の測定結果が有する周波数成分にもとづいて前記印影の押印状態を判定することを特徴とする請求項１乃至４のいずれか１つに記載の情報処理装置。
【請求項６】
前記測定部は、前記印影枠の中心から所定角度毎に、前記印影枠の幅を測定することを特徴とする請求項１乃至５のいずれか１つに記載の情報処理装置。
【請求項７】
前記測定部は、前記印影枠に沿って所定間隔毎に、前記印影枠の幅を測定することを特徴とする請求項１乃至５のいずれか１つに記載の情報処理装置。
【請求項８】
コンピュータが、
印影のイメージを取得し、
前記イメージから前記印影の印影枠を抽出し、
前記印影枠の幅を所定間隔で測定し、
前記印影枠の幅の測定結果が有する規則性にもとづいて前記印影の押印状態を判定する、
ことを特徴とする印影判定方法。
【請求項９】
コンピュータに
印影のイメージを取得させ、
前記イメージから前記印影の印影枠を抽出させ、
前記印影枠の幅を所定間隔で測定させ、
前記印影枠の幅の測定結果が有する規則性にもとづいて前記印影の押印状態を判定させる、
ことを特徴とする印影判定プログラム。
【発明の詳細な説明】
【技術分野】
【０００１】
情報処理装置、印影判定方法、および印影判定プログラムに関する。
【背景技術】
【０００２】
公共機関や金融機関などの手続きにおいて、手続者の本人確認が求められる場合がある。手続者の本人確認は、たとえば、身分証明証の提示や、生体認証などによっておこなわれるほか、印鑑の押印（捺印）によっておこなわれることがある。
【０００３】
たとえば、金融機関では、あらかじめ登録されている印影と、手続時に押印した印影とを比較、照合することによって本人確認をおこなう。このような異なる時期に押印された印影の比較、照合は、一方の印影に、「かすれ」や「にじみ」などがあることで、照合精度が低下する問題がある。
【０００４】
なお、「かすれ」とは、印鑑に朱肉やインクが十分にのっていない状態での押印で、印影の一部を欠いた状態をいい、「にじみ」とは、印鑑に朱肉やインクが余剰の状態での押印で、余剰な朱肉やインクにより印影の一部が潰れた状態をいう。
【０００５】
こうした「かすれ」や「にじみ」を検出して、「かすれ」や「にじみ」のない印影を登録する登録装置の提案がある（たとえば、特許文献１）。
【先行技術文献】
【特許文献】
【０００６】
【特許文献１】特開２０１２−４８５１３号公報
【発明の概要】
【発明が解決しようとする課題】
【０００７】
しかしながら、照合に用いるのに適さない印影は、「かすれ」や「にじみ」だけでなく、印鑑を紙面に押し当てた状態で印鑑が動く「ずれ」や、再押印による印影の「重なり」などもある。
【０００８】
こうした「ずれ」や「重なり」の検出を含めて、印影が適切に押印されたものであるか否かを判定可能な方法は、見当たらない。
本発明は、このような点に鑑みてなされたものであり、印影が適切に押印されたものであるか否かを精度よく判定可能な情報処理装置、印影判定方法、および印影判定プログラムを提供することを目的とする。
【課題を解決するための手段】
【０００９】
上記課題を解決するために、本発明の情報処理装置は、イメージ取得部と抽出部と測定部と判定部とを備える。イメージ取得部は、印影のイメージを取得する。抽出部は、イメージから印影の印影枠を抽出する。測定部は、印影枠の幅を所定間隔で測定する。判定部は、印影枠の幅の測定結果が有する規則性にもとづいて印影の押印状態を判定する。
【００１０】
また、上記課題を解決するために、本発明は、以下に示すような処理をコンピュータがおこなう印影判定方法、および以下に示すような処理をコンピュータに実行させる印影判定プログラムを提供する。コンピュータが、印影のイメージを取得し、イメージから印影の印影枠を抽出し、印影枠の幅を所定間隔で測定し、印影枠の幅の測定結果が有する規則性にもとづいて印影の押印状態を判定する。
【発明の効果】
【００１１】
上記の情報処理装置、印影判定方法、および印影判定プログラムによれば、印影が適切に押印されたものであるか否かを精度よく判定できる。
【図面の簡単な説明】
【００１２】
【図１】第一の実施形態における情報処理装置の構成を示す図である。
【図２】第二の実施形態における印鑑照合システムの構成を示す図である。
【図３】第二の実施形態における照合装置の構成を示す図である。
【図４】第二の実施形態における枠幅の一例を示す図である。
【図５】第二の実施形態における印影の一例を示す図である。
【図６】第二の実施形態における押印状態判定処理のフローチャートである。
【図７】第二の実施形態における同一形状抽出処理のフローチャートである。
【図８】第二の実施形態における印影枠の抽出の一例を示す図である。
【図９】第二の実施形態における同一形状抽出処理の一例を示す図である。
【図１０】第二の実施形態における印影内部の同一形状抽出処理の一例を示す図である。
【図１１】第二の実施形態における枠幅評価処理のフローチャートである。
【図１２】第二の実施形態における枠幅許容判定処理のフローチャートである。
【図１３】第二の実施形態における正常な押印状態の丸印である場合の印影の枠幅評価処理の一例を示す図である。
【図１４】第二の実施形態における異常な押印状態の丸印である場合の印影の枠幅評価処理の一例を示す図である。
【図１５】第二の実施形態における正常な押印状態の角印である場合の印影の枠幅評価処理の一例を示す図である。
【図１６】第二の実施形態における異常な押印状態の角印である場合の印影の枠幅評価処理の一例を示す図である。
【発明を実施するための形態】
【００１３】
以下、実施形態を図面を参照して説明する。
［第一の実施形態］
まず、第一の実施形態の情報処理装置について、図１を用いて説明する。図１は、第一の実施形態における情報処理装置の構成を示す図である。
【００１４】
情報処理装置１は、印影の押印状態を判定する装置である。印影の押印状態は、正常な押印状態と、異常な押印状態とがある。正常な押印状態とは、印影の照合を精度よくおこなうことができる押印状態である。異常な押印状態とは、印影の照合において精度が低下する押印状態である。異常な押印状態には、たとえば、「かすれ」や「にじみ」、「ずれ」、「重なり」などがある。
【００１５】
情報処理装置１は、印影のイメージ６から印影の押印状態を判定し、判定結果８を得る。
情報処理装置１は、イメージ取得部２と抽出部３と測定部４と判定部５とを備える。
【００１６】
イメージ取得部２は、印影のイメージ６を取得する。
抽出部３は、取得した印影のイメージ６から印影枠７を抽出する。印影枠７とは、印影の中で印鑑枠の印影に相当する部分である。
【００１７】
測定部４は、抽出した印影枠７の幅を所定間隔で測定する。所定間隔とは、位置、角度、距離などによって定められた間隔である。
判定部５は、印影枠７の幅の測定結果が有する規則性にもとづいて押印状態を判定する。幅の測定結果が有する規則性とは、所定間隔で測定した幅を順番に並べた際に表れる幅の変化率（増減）の規則性である。
【００１８】
上記第一の実施形態によれば、情報処理装置１は、印影のイメージ６を取得する。また、情報処理装置１は、取得した印影のイメージ６から印影枠７を抽出する。また、情報処理装置１は、印影枠７の幅を所定間隔で測定する。また、情報処理装置１は、印影枠７の幅の測定結果が有する規則性にもとづいて押印状態を判定する。
【００１９】
これによれば、情報処理装置１は、登録や照合に適さない押印状態を判定可能にする。
［第二の実施形態］
次に、第二の実施形態について説明をおこなう。図２は、第二の実施形態における印鑑照合システムの構成を示す図である。
【００２０】
印鑑照合システム１０は、あらかじめ登録されている印影と、照合対象となる印影とを照合する照合システムである。なお、印鑑照合システム１０は、照合に用いる印影を登録する登録システムを兼ねる。印鑑照合システム１０は、あらかじめ登録されている印影と、押印された印影との同一性を判定することで照合をおこなう。
【００２１】
印鑑照合システム１０は、登録対象となる印影、あるいは照合対象となる印影について、印影の押印状態を判定する。印鑑照合システム１０は、正常な押印状態と判定された印影を、登録対象あるいは照合対象とする。
【００２２】
印鑑照合システム１０は、たとえば、金融機関等で用いられ、口座開設時に印影を登録し、所定の手続時に、帳票等に押印された印影と、あらかじめ登録されている印影とを照合する。印鑑照合システム１０は、口座開設時あるいは所定の手続時に、印影の押印状態を判定する。
【００２３】
印鑑照合システム１０は、ホストコンピュータ１４と、ホストコンピュータ１４とネットワーク１３を介して接続する照合装置１７を備える。
ホストコンピュータ１４は、データセンタ１１に備えられ、登録情報データベース１５と枠幅データベース１６を管理する。ホストコンピュータ１４は、照合装置１７との間で、照合に用いる情報の送受信をおこなう。
【００２４】
登録情報データベース１５は、登録情報を保持するデータベースである。登録情報は、照合に先立ち、あらかじめ登録される情報である。登録情報は、印影の他に、たとえば、口座番号、登録支店名、氏名、電話番号、住所などの付帯情報を含む。
【００２５】
枠幅データベース１６は、印影枠の枠幅テンプレートを保持するデータベースである。印影枠は、印鑑枠に対応する部分である。枠幅テンプレートは、印影枠における所要位置の枠幅に関する情報である。印鑑照合システム１０は、印影の押印状態の判定に、枠幅テンプレートを用いる。
【００２６】
照合装置１７は、営業店１２に備えられ、あらかじめ登録されている印影と、照合対象となる印影との照合をおこなう。照合装置１７は、照合時に、あるいは照合に先立って、照合対象となる印影の押印状態を判定する。これにより、照合装置１７は、あらかじめ押印状態の悪い印影を排除して、照合精度の向上を図る。照合装置１７は、図示しないスキャナや、ネットワーク１３を介して他のコンピュータから、照合対象となる印影をイメージデータで取得する。
【００２７】
なお、照合装置１７は、印影を登録する登録装置を兼ねてもよく、印影の登録時に、登録対象となる印影の押印状態を判定する。
なお、ホストコンピュータ１４は、照合装置１７が有する押印状態判定機能の一部または全部を備えるようにしてもよく、ホストコンピュータ１４と照合装置１７との間で機能分担をおこなうものであってもよい。
【００２８】
次に第二の実施形態の印鑑照合システム１０を実現するために照合装置１７が備えるハードウェアの構成について図３を用いて説明する。図３は、第二の実施形態における照合装置１７の構成を示す図である。
【００２９】
照合装置１７は、プロセッサ２１によって装置全体が制御されている。プロセッサ２１には、バス２９を介してＲＡＭ（Random Access Memory）２２と複数の周辺機器が接続されている。プロセッサ２１は、マルチプロセッサであってもよい。プロセッサ２１は、たとえばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ２１は、ＣＰＵ、ＭＰＵ、ＤＳＰ、ＡＳＩＣ、ＰＬＤのうちの２以上の要素の組み合わせであってもよい。
【００３０】
ＲＡＭ２２は、照合装置１７の主記憶装置として使用される。ＲＡＭ２２には、プロセッサ２１に実行させるＯＳ（Operating System）のプログラムやアプリケーションプログラムの少なくとも一部が一時的に格納される。また、ＲＡＭ２２には、プロセッサ２１による処理に必要な各種データが格納される。
【００３１】
バス２９に接続されている周辺機器としては、ＨＤＤ（Hard Disk Drive）２３、グラフィック処理装置２４、入力インタフェース２５、光学ドライブ装置２６、機器接続インタフェース２７およびネットワークインタフェース２８がある。
【００３２】
ＨＤＤ２３は、内蔵したディスクに対して、磁気的にデータの書き込みおよび読出しをおこなう。ＨＤＤ２３は、照合装置１７の補助記憶装置として使用される。ＨＤＤ２３には、ＯＳのプログラム、アプリケーションプログラム、および各種データが格納される。なお、補助記憶装置としては、フラッシュメモリなどの半導体記憶装置を使用することもできる。
【００３３】
グラフィック処理装置２４には、モニタ３１が接続されている。グラフィック処理装置２４は、プロセッサ２１からの命令に従って、画像をモニタ３１の画面に表示させる。モニタ３１としては、ＣＲＴ（Cathode Ray Tube）を用いた表示装置や液晶表示装置などがある。
【００３４】
入力インタフェース２５には、キーボード３２とマウス３３とスキャナ３４とが接続されている。入力インタフェース２５は、キーボード３２、マウス３３やスキャナ３４から送られてくる信号をプロセッサ２１に送信する。なお、マウス３３は、ポインティングデバイスの一例であり、他のポインティングデバイスを使用することもできる。他のポインティングデバイスとしては、タッチパネル、タブレット、タッチパッド、トラックボールなどがある。
【００３５】
光学ドライブ装置２６は、レーザ光などを利用して、光ディスク３５に記録されたデータの読取りをおこなう。光ディスク３５は、光の反射によって読取り可能なようにデータが記録された可搬型の記録媒体である。光ディスク３５には、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【００３６】
機器接続インタフェース２７は、照合装置１７に周辺機器を接続するための通信インタフェースである。たとえば機器接続インタフェース２７には、メモリ装置３６やメモリリーダライタ３７を接続できる。メモリ装置３６は、機器接続インタフェース２７との通信機能を搭載した記録媒体である。メモリリーダライタ３７は、メモリカード３８へのデータの書き込み、またはメモリカード３８からのデータの読出しをおこなう装置である。メモリカード３８は、カード型の記録媒体である。
【００３７】
ネットワークインタフェース２８は、ネットワーク１３に接続されている。ネットワークインタフェース２８は、ネットワーク１３を介して、他のコンピュータまたは通信機器との間でデータの送受信をおこなう。
【００３８】
以上のようなハードウェア構成によって、第二の実施形態の処理機能を実現できる。なお、第一の実施形態に示した装置も、図２に示した照合装置１７と同様のハードウェアにより実現できる。なお、ホストコンピュータ１４も図２に示した照合装置１７と同様の構成とできる。
【００３９】
照合装置１７は、たとえば、読取り可能な記録媒体に記録されたプログラムを実行することにより、第二の実施形態の処理機能を実現する。照合装置１７に実行させる処理内容を記述したプログラムは、様々な記録媒体に記録しておくことができる。たとえば、照合装置１７に実行させるプログラムをＨＤＤ２３に格納しておくことができる。プロセッサ２１は、ＨＤＤ２３内のプログラムの少なくとも一部をＲＡＭ２２にロードし、プログラムを実行する。また照合装置１７に実行させるプログラムを、光ディスク３５、メモリ装置３６、メモリカード３８などの可搬型記録媒体に記録しておくこともできる。可搬型記録媒体に格納されたプログラムは、たとえばプロセッサ２１からの制御により、ＨＤＤ２３にインストールされた後、実行可能となる。またプロセッサ２１が、可搬型記録媒体から直接プログラムを読出して実行することもできる。
【００４０】
次に、第二の実施形態における枠幅テンプレートについて図４を用いて説明をおこなう。図４は、第二の実施形態における枠幅の一例を示す図である。図４（Ａ）は、印影枠４１が円形の印影４０の図である。
【００４１】
印影４０は、印鑑の印影である。印影枠４１は、印影４０のうち印鑑枠に対応する部分である。枠中心４２は、印影枠４１の中心である。枠幅４３は、印影枠４１の幅の大きさである。枠幅４３は、具体的には、印影枠４１の枠中心４２から輻射する直線と、印影枠４１とが重複（交差）する幅の大きさである。
【００４２】
円形の印影枠４１の全ての箇所で、枠中心４２から輻射する直線は、印影枠４１の内側と外側の接線それぞれに直交する。したがって、枠幅４３は、内側の接線と外側の接線の距離と等しくなり、正常な押印状態で押印された印影４０であれば、印影枠４１上の全ての測定箇所で同一である。
【００４３】
このように、正常な押印状態の円形の印影枠４１の枠幅４３は、全ての測定箇所で同一であり、所要位置の枠幅４３の変化率（増減）が０である。枠幅４３の変化率とは、基準とされた枠幅４３との変化量の比率である。丸印の枠幅テンプレートは、このような正常な押印状態の（モデルとなる）丸印が有する所要位置の枠幅４３の変化率（増減）の規則性に関する情報である。
【００４４】
図４（Ｂ）は、印影枠４１が矩形の印影４０の図である。印影枠４１の四辺の中点では、枠中心４２から外側に延びる直線と印影枠４１の辺とが直交し、重複する幅の大きさ（枠幅４３ａ）が最小となる。
【００４５】
一方で、印影枠４１の枠幅４３は、枠中心４２から外側に延びる直線と印影枠４１とが重複する幅が増えるため、枠幅４３ｂ、枠幅４３ｃと、中点から遠くなるにつれて、枠幅４３が大きくなる。そして、枠幅４３は、印影枠４１の頂点で最大の枠幅４３ｃとなる。なお、中点を挟んだ辺の反対側も同様に枠幅４３ｄ、枠幅４３ｅと、中点から遠くなるにつれて、枠幅４３が大きくなる。また、中点を挟んで対称となる位置の枠幅４３は、大きさが等しくなる。
【００４６】
このように、正常な押印状態の矩形の印影枠４１の枠幅４３は、一定の規則で変化（増減）する。角印の枠幅テンプレートは、このような正常な押印状態の（モデルとなる）角印が有する所要位置の枠幅４３の変化率（増減）の規則性に関する情報である。
【００４７】
枠幅テンプレートは、印影枠４１における所要位置の枠幅４３の変化率（増減）の規則性に関する情報であり、印影枠４１の形状が有する規則性は形状毎に異なるため、形状毎にテンプレートがある。枠幅テンプレートは、たとえば、角印の枠幅テンプレート、丸印の枠幅テンプレート、楕円印の枠幅テンプレートなどがある。なお、枠幅テンプレートは、形状毎にあらかじめ用意されるものであってもよいし、概形を判定して導出するものであってもよい。
【００４８】
次に、異常な押印状態で押印された印影について図５を用いて説明をおこなう。図５は、第二の実施形態における印影の一例を示す図である。
印影４０は、印鑑照合システム１０において帳票の印鑑欄等から取得されたイメージである。
【００４９】
図５（Ａ）は、正常な押印状態の印影４０を示している。
図５（Ｂ）は、右上から左下方向にずれながら押印された異常な押印状態の印影４０を示している。印影４０は右上において、印影枠４１の一部の形状と同一形状の弧が２つある。印影４０は、押印された際のずれの間隔が広いため、右上は同一形状の弧となる。印影４０は、押印された際のずれの間隔が狭い場合には、右上だけ枠が太くなる。
【００５０】
図５（Ｃ）は、押印が２度おこなわれた異常な押印状態の印影４０を示している。印影４０は、２度押印されているため、２つの印影４０ａと印影４０ｂとで構成されている。印影４０は、印影４０ａと印影４０ｂが重なって構成されており、一部で印影４０ａと印影４０ｂが重複している。印影４０は、重複している部分において印字と枠が混在している。
【００５１】
以上が印影４０のイメージの一例である。
次に取得した印影４０のイメージが図５（Ｂ）、５（Ｃ）であるような場合に、照合装置１７は、どのように異常な押印状態と判定するかについて図６を用いて説明する。図６は、第二の実施形態における押印状態判定処理のフローチャートである。
【００５２】
照合装置１７は、印影４０のイメージを取得し、取得したイメージから印影枠４１を抽出する。そして、照合装置１７は、抽出した印影枠４１にもとづいて、印影４０の押印状態を判定する。
【００５３】
［ステップＳ１１］照合装置１７は、印影４０のイメージを取得する。照合装置１７は、たとえば、帳票を読取ったスキャナ３４から印影４０のイメージを取得する。
［ステップＳ１２］照合装置１７は、印影４０から印影枠４１を抽出する。照合装置１７は、たとえば、印影４０に対してハフ変換をおこなうことで、印影４０から印影枠４１を抽出する。
【００５４】
［ステップＳ１３］照合装置１７は、同一形状抽出処理をおこなう。照合装置１７は、印影４０から印影枠４１と同一形状を抽出する。印影枠４１と同一形状とは、印影枠４１の一部または全部と同一な印影４０に含まれる形状である。同一形状抽出処理については、図７を用いて後で詳細に説明する。なお、照合装置１７は、同一形状が一定以上の長さである場合に、印影４０から同一形状として抽出してもよい。たとえば、一定以上の長さである同一形状を抽出の対象とすることで、照合装置１７は、印影４０の文字に含まれる同一形状が抽出されることを抑止できる。
【００５５】
［ステップＳ１４］照合装置１７は、同一形状を抽出したか否かの判定をおこなう。照合装置１７は、同一形状を抽出したと判定した場合にステップＳ１８へすすみ、同一形状を抽出していないと判定した場合にステップＳ１５へすすむ。
【００５６】
［ステップＳ１５］照合装置１７は、枠幅評価処理をおこなう。照合装置１７は、印影枠４１の所定箇所の枠幅４３を測定し、測定した枠幅４３の規則性にもとづいて印影枠４１を評価する。枠幅評価処理については、図１１を用いて後で詳細に説明する。
【００５７】
［ステップＳ１６］照合装置１７は、枠幅評価処理の結果にもとづいて、印影枠４１の枠幅４３が正常であるか否か判定する。照合装置１７は、印影枠４１の枠幅４３が正常であると判定した場合にステップＳ１７へすすみ、正常でないと判定した場合にステップＳ１８へすすむ。
【００５８】
［ステップＳ１７］照合装置１７は、印影４０を正常な押印状態で押印された印影４０であると判定する。照合装置１７は、正常な押印状態で押印された印影４０であると判定し、押印状態判定処理を終了する。
【００５９】
［ステップＳ１８］照合装置１７は、印影４０を異常な押印状態で押印された印影４０であると判定する。照合装置１７は、異常な押印状態で押印された印影４０であると判定し、押印状態判定処理を終了する。
【００６０】
次に同一形状抽出処理について図７を用いて説明する。図７は、第二の実施形態における同一形状抽出処理のフローチャートである。
照合装置１７は、図６の押印状態判定処理のステップＳ１３において同一形状抽出処理をおこなう。照合装置１７は、印影枠４１をスライドさせることで、印影４０の一定範囲から同一形状を抽出する。
【００６１】
［ステップＳ２１］照合装置１７は、印影枠４１の枠中心４２を取得する。照合装置１７は、印影枠４１にもとづいて枠中心４２を取得する。
［ステップＳ２２］照合装置１７は、印影枠４１の枠中心４２をスライドさせる探索範囲を設定する。探索範囲は、枠中心４２を含む範囲である。探索範囲は、印影枠４１をスライドさせ同一形状を抽出する際に、印影枠４１の枠中心４２が移動可能な最大の範囲である。照合装置１７は、探索範囲を設定することで、印影４０の一定範囲から同一形状を抽出することが可能である。たとえば、照合装置１７は、探索範囲を設定することで、印影４０の印影枠４１近傍から同一形状を抽出し、印影４０の枠中心４２近傍からは同一形状を抽出しないようにできる。
【００６２】
［ステップＳ２３］照合装置１７は、印影枠４１をスライドさせ印影枠４１と同一形状を抽出する。照合装置１７は、印影枠４１の枠中心４２を探索範囲内に保った状態で印影枠４１をスライドし、同一形状を抽出する。照合装置１７は、枠中心４２を探索範囲内に保った状態で、印影枠４１をスライドすることで、印影４０の一定の範囲にある同一形状を抽出できる。また、照合装置１７は、探索範囲内に枠中心４２を保った状態で印影枠４１をスライドし、同一形状の抽出をおこなうことで、同一形状の向きを考慮して抽出できる。たとえば、照合装置１７は、印影４０の上端近傍に印影枠４１の下端の形状の一部と同一形状がある場合であっても抽出しないようにできる。
【００６３】
［ステップＳ２４］照合装置１７は同一形状を抽出したか否かを判定する。照合装置１７は、同一形状を抽出した場合には、同一形状抽出処理を終了する。照合装置１７は、同一形状を抽出していない場合には、ステップＳ２５へすすむ。
【００６４】
［ステップＳ２５］照合装置１７は、探索範囲すべてに枠中心４２をスライドさせ、同一形状の抽出をしたか否かを判定する。照合装置１７は、探索範囲内すべてに枠中心４２をスライドさせていない場合にステップＳ２３へすすみ、探索範囲内すべてに枠中心４２をスライドさせた場合に、同一形状抽出処理を終了する。
【００６５】
以上が第二の実施形態における同一形状抽出処理である。上記同一形状抽出処理によれば、照合装置１７は、印影４０から同一形状を抽出できる。また、照合装置１７は、探索範囲を設定することで、一定の範囲から向きを考慮して同一形状を抽出できる。
【００６６】
なお、照合装置１７は、同一形状を抽出した位置を取得し、利用してもよい。たとえば、照合装置１７は、印影枠４１の外部で同一形状を見つけた場合には、同一形状として抽出する。そして、照合装置１７は、印影枠４１の内部で同一形状を見つけた場合には、同一形状候補として報知してもよい。
【００６７】
次に、印影枠４１の抽出について図８を用いて説明をおこなう。図８は、第二の実施形態における印影枠の抽出の一例を示す図である。
図８（Ａ）は、図５（Ａ）の正常な押印状態の印影４０の印影枠４１を示している。
【００６８】
図８（Ｂ）は、図５（Ｂ）の右上から左下方向にずれながら押印された異常な押印状態の印影４０の印影枠４１を示している。照合装置１７は、印影４０から印影枠４１を抽出することで、右上のずれながら押印された部分を、印影枠４１と同一形状の弧とに区別する。
【００６９】
このように、ずれながら押印された場合には、印影４０は、ずれながら押印された部分に、同一形状の弧と印影枠４０とを有することになる。
図８（Ｃ）は、図５（Ｃ）の押印が２度おこなわれた異常な押印状態の印影４０の印影枠４１を示している。照合装置１７は、印影４０を、印影枠４１の内側に含まれる印影とそれ以外の印影とに区別する。
【００７０】
このように、再度押印されたことにより複数の印影が重なった形状の場合であっても、照合装置１７は、印影４０から印鑑枠の印影４０ｂに対応するとして印影枠４１を抽出する。
【００７１】
次に、右上から左下方向にずれながら押印された異常な押印状態の印影４０の同一形状の抽出について図９を用いて説明をおこなう。図９は、第二の実施形態における同一形状抽出処理の一例を示す図である。
【００７２】
図９（Ａ）は、印影４０の印影枠４１と枠中心４２と探索範囲４４とを示している。枠中心４２は、抽出した印影枠４１にもとづいて、取得される。また、探索範囲４４は、取得した枠中心４２を中心とする所定の範囲である。探索範囲４４は、枠中心４２と半径（枠中心４２から印影枠４１までの長さ）にもとづいて設定される。探索範囲４４は、たとえば、枠中心４２から一定の長さとなるように設定され、円形である。
なお、照合装置１７は、探索範囲４４を枠中心４２から印影枠４１までの距離の一定割合の長さとして設定することで、探索範囲４４を印影枠４１と類似な形状となるようにしてもよい。たとえば、照合装置１７は、印影枠４１が角印である時に、探索範囲４４を矩形の範囲とする。
【００７３】
図９（Ｂ）は、印影枠４１を探索範囲４４内でスライドさせ、印影枠４１と同一形状を印影４０から抽出している様子を示している。印影枠４１は、枠中心４２を、探索範囲４４の内部に保った状態でスライドしている。照合装置１７は、枠中心４２を探索範囲４４に保ち印影枠４１をスライドさせることで、同一形状を探索する。照合装置１７は、探索範囲４４の内部に枠中心４２を保つことで、一定範囲にある同一形状を抽出できる。たとえば、照合装置１７は、探索範囲を設定することで文字が書かれている枠中心４２近傍では印影枠４０から同一形状を探さず、印影枠４１近傍で印影枠４０から同一形状を探すようにできる。これによれば、照合装置１７は、同一形状の誤抽出を抑制できる。
【００７４】
なお、照合装置１７は、印影枠４１をスライドし、同一形状を探索しているが、印影枠４１と同形状の仮想の枠をスライドし、同一形状を探索してもよい。
図９（Ｃ）は、検出された弧６１を示している。照合装置１７は、同一形状抽出処理の結果、ずれながら押印された右上の弧６１を抽出し、同一形状抽出処理を終了する。
【００７５】
以上が、右上から左下にずれながら押された異常な押印状態の印影４０における同一形状抽出処理の例である。なお、照合装置１７は、押印が２度された異常な押印状態の印影４０からも上記の方法で同一形状を抽出することが可能である。
【００７６】
次に探索範囲４４を設定する理由について図１０を用いて説明をおこなう。図１０は、第二の実施形態における印影内部の同一形状抽出処理の一例を示す図である。
図１０（Ａ）は、印影４０の印影枠４１と枠中心４２と探索範囲４４とを示している。枠中心４２は、抽出した印影枠４１にもとづいて取得されている。また、探索範囲４４は、取得した枠中心４２を中心として所定の範囲が設定されている。印影４０の内部には「山田太郎」と文字が印字されている。
【００７７】
図１０（Ｂ）は、印影枠４１をスライドさせ、印影４０内部の同一形状の文字の弧と重ねた様子を示している。印影枠４１と、「太」の文字の弧との形状が一致し重なり合っている。しかしながら、枠中心４２は、探索範囲４４の外部に位置している。したがって、照合装置１７は、「太」の文字の弧を同一形状として抽出することはない。このように照合装置１７は、探索範囲４４を設定することで、一定の範囲を抽出の対象とすることができ、文字の弧を同一形状抽出処理によって抽出することを抑制できる。
【００７８】
なお、照合装置１７は、探索範囲４４を設定した場合に、印影枠４１から大きく外れた同一形状を同一形状抽出処理で抽出することができなくなる場合がある。しかしながら、この場合には、同一形状は、印影枠４１から探索範囲４４の半径以上ずれた位置にある。したがって、このような印影４０は、あらかじめ目視等で容易に除外できるため、押印状態の判定にあまり影響を与えることはない。
【００７９】
なお、照合装置１７は、同一形状抽出処理において、探索範囲４４を設定せずに、印字を同一形状として抽出することを抑制できる。たとえば、照合装置１７は、印影４０から一定以上の長さの同一形状を全て抽出する。そして、照合装置１７は、印影枠４１の外側で印影枠４１と同一形状を見つけた場合に、異常な押印状態の印影４０と判定する。そして、照合装置１７は、印影枠４１の内側で印影枠４１と同一形状を見つけた場合に、異常な押印状態の印影候補と判定し、オペレータ等に報知する。
【００８０】
次に枠幅評価処理について図１１を用いて説明する。図１１は、第二の実施形態における枠幅評価処理のフローチャートである。
照合装置１７は、図６の押印状態判定処理のステップＳ１５で枠幅評価処理をおこなう。照合装置１７は、枠幅評価処理において、枠幅データベース１６から枠幅テンプレートを取得する。そして、照合装置１７は、印影枠４１から所定間隔で枠幅４３を取得し、規則性にもとづいて評価する。
【００８１】
［ステップＳ３１］照合装置１７は、枠幅テンプレートを枠幅データベース１６から取得する。照合装置１７は、印影枠４１の形状にもとづいて、枠幅データベース１６から印影枠４１の形状に対応する枠幅テンプレートを取得（選択）する。
【００８２】
なお、印鑑照合システム１０は、枠幅データベース１６に枠幅テンプレートを生成するために用いるデータを保持し、枠幅テンプレートを生成してもよい。この場合に、印鑑照合システム１０は、取得した印影枠４１の形状を正規化し、正規化した印影枠４１にもとづいて枠幅テンプレートの生成をおこなう。これによれば印鑑照合システム１０は、未知の印影枠４１の形状に対応可能になる。
【００８３】
［ステップＳ３２］照合装置１７は、印影枠４１の枠幅４３を測定する。照合装置１７は、印影枠４１から所定間隔で枠幅４３を測定する。所定間隔とは、位置、角度、距離などによって定められた間隔である。
【００８４】
照合装置１７は、所定間隔として、枠幅４３の測定間隔を角度によって定めることができる。たとえば、照合装置１７は、測定間隔を枠中心４２から所定角度毎として定める。
また、照合装置１７は、所定間隔として、枠幅４３の測定間隔を距離によって定めることができる。たとえば、照合装置１７は、測定間隔を印影枠４１に沿って所定距離毎（所定間隔）として定める。
【００８５】
なお、上記測定間隔に限らず、照合装置１７は、所定間隔として、さまざまな測定間隔を定めることができる。
なお、照合装置１７は、登録時と照合時において異なる間隔で枠幅４３を測定してもよい。たとえば、照合装置１７は、登録時にはより正確に押印状態を判定するために間隔を狭く設定し、照合時には押印状態の判定にかかる時間を短縮するために所定間隔を広く設定する。
【００８６】
［ステップＳ３３］照合装置１７は、測定した枠幅４３の規則性を取得する。照合装置１７は、印影４０を所定間隔で測定した枠幅４３を比較することで、測定した枠幅４３の変化率（増減）の規則性を取得する。
【００８７】
［ステップＳ３４］照合装置１７は、測定した枠幅４３の変化率の規則性と、枠幅テンプレートを比較し、規則性が一致するか否かを判定する。
照合装置１７は、規則性を比較した結果、規則性が一致すると判定した場合にステップＳ３８へすすみ、規則性が一致しないと判定した場合にステップＳ３５へすすむ。
【００８８】
［ステップＳ３５］照合装置１７は、枠幅テンプレートを用いて枠幅４３を変換する。照合装置１７は、たとえば、フーリエ変換により枠幅４３を変換する。照合装置１７は、枠幅テンプレートを用いて変換することで、印影枠４１における所要位置の枠幅４３の変化率（増減）を補正し、変化率（増減）が０となるように変換する。
【００８９】
したがって、照合装置１７は、枠幅テンプレートを用いて枠幅４３を変換することで印影枠４１の形状にかかわらず、所要位置の枠幅４３のずれを同一の基準で評価できる。枠幅テンプレートを用いた変換の詳細については、図１３、図１４、図１５、図１６を用いて後で詳細に説明する。
【００９０】
なお、丸印の場合には、照合装置１７は、印影枠４１上において枠幅４３が一定であるため、印影枠４１における所要位置の枠幅４３の変化率（増減）が０であり、枠幅テンプレートを用いた変換をおこなわなくてよい。
【００９１】
［ステップＳ３６］照合装置１７は、枠幅許容判定処理をおこなう。照合装置１７は、枠幅許容判定処理において、変換後の枠幅４３にもとづいて、枠幅４３のずれを許容できるか否かを判定する。枠幅許容判定処理については、図１２を用いて後で詳細に説明する。
【００９２】
［ステップＳ３７］照合装置１７は、枠幅許容判定処理にもとづいて枠幅のずれを許容できるか否かを判定する。照合装置１７は、枠幅４３のずれを許容できる場合にステップＳ３８へすすみ、枠幅４３のずれを許容できない場合にステップＳ３９へすすむ。
【００９３】
［ステップＳ３８］照合装置１７は、枠幅４３を正常と判定する。照合装置１７は、枠幅４３と枠幅テンプレートの規則性が一致する場合、または枠幅４３の規則性が一致しないが枠幅４３のずれを許容できる場合に枠幅４３を正常であると判定する。照合装置１７は、枠幅４３を正常と判定し、枠幅評価処理を終了する。
【００９４】
［ステップＳ３９］照合装置１７は、枠幅４３を正常でないと判定する。照合装置１７は、枠幅４３の規則性が枠幅テンプレートと規則性が一致せず、枠幅４３のずれを許容できない場合に枠幅４３を正常でないと判定する。照合装置１７は、枠幅４３を正常でないと判定し、枠幅評価処理を終了する。
【００９５】
以上が第二の実施形態における枠幅評価処理である。上記枠幅評価処理によれば、照合装置１７は、枠幅４３を測定し、測定した枠幅４３の規則性と枠幅テンプレートを比較することで、枠幅４３が正常であるか否かを判定できる。
【００９６】
また、規則性が一致しなかった場合に、照合装置１７は、枠幅テンプレートを用いて枠幅４３を変換することで、印影枠４１の形状にかかわらず印影枠４１の枠幅４３のずれを同一の基準で評価（許容できるか否か判定）する。
【００９７】
次に枠幅許容判定処理について図１２を用いて説明する。図１２は、第二の実施形態における枠幅許容判定処理のフローチャートである。照合装置１７は、枠幅許容判定処理を、図１１の枠幅評価処理のステップＳ３６でおこなう。照合装置１７は、枠幅テンプレートにより変換された枠幅４３を評価することで、枠幅４３のずれが許容できるか否かを判定する。
【００９８】
［ステップＳ４１］照合装置１７は、枠幅４３の幅の平均値を取得する。
［ステップＳ４２］照合装置１７は、測定した全ての枠幅４３の平均値からのずれが基準値以内であるか否かを判定する。基準値は、あらかじめ設定された値である。照合装置１７は、全ての枠幅４３の平均値からのずれが基準値以内である場合にステップＳ４６へすすみ、平均値からのずれが基準値以内でない枠幅４３がある場合にステップＳ４３へすすむ。
【００９９】
［ステップＳ４３］照合装置１７は、測定した枠幅４３が平均値からのずれ許容値以内であるか否かを判定する。許容値は、許容できるずれの最大値である。照合装置１７は、測定した全ての枠幅４３の平均値からのずれが許容値以内である場合に、ステップＳ４４へすすみ、平均値からのずれが許容値以内でない枠幅４３がある場合に、ステップＳ４７へすすむ。
【０１００】
［ステップＳ４４］照合装置１７は、平均値からのずれが基準値を超える枠幅４３が所定数以下であるか否かを判定する。照合装置１７は、平均値からのずれが基準値を超える枠幅４３が所定数以下である場合にステップＳ４５へすすみ、平均値からのずれが基準値を超える枠幅４３が所定数以下でない場合にステップＳ４７へすすむ。
【０１０１】
［ステップＳ４５］照合装置１７は、平均値からのずれが基準値を超える枠幅４３が所定数連続で測定されているか否かを判定する。照合装置１７は、平均値からのずれが基準値を超える枠幅４３が所定数連続で測定されている場合にステップＳ４７へすすみ、平均値からのずれが所定数連続で測定されていない場合にステップＳ４６へすすむ。
【０１０２】
［ステップＳ４６］照合装置１７は、枠幅４３のずれを許容できると判定する。照合装置１７は、枠幅４３のずれを許容できると判定し、枠幅許容判定処理を終了する。
［ステップＳ４７］照合装置１７は、枠幅４３のずれを許容できないと判定する。照合装置１７は、枠幅４３のずれを許容できないと判定し、枠幅許容判定処理を終了する。
【０１０３】
以上が第二の実施形態における枠幅許容判定処理である。上記枠幅許容判定処理によれば、照合装置１７は、印影枠４１の枠幅４３のずれを許容できるか否かを判定できる。
なお、上記判定方法に限らず、照合装置１７はさまざまな方法により枠幅４３のずれを許容できるか否かを判定できる。また、登録時と照合時とで許容できる枠幅４３のずれの判定の基準を変えてもよい。たとえば、登録時には、より正確な印影を登録するために、ステップＳ４２の基準値をより小さく設定することで、許容できる枠幅４３のずれを狭くできる。
【０１０４】
次に枠幅評価処理について説明する。まず、図１３、図１４を用いて印影４０が丸印である場合の枠幅評価処理について説明する。図１３は、第二の実施形態における正常な押印状態の丸印である場合の印影の枠幅評価処理の一例を示す図である。図１４は、第二の実施形態における異常な押印状態の丸印である場合の印影の枠幅評価処理の一例を示す図である。
【０１０５】
図１３（Ａ）は、正常な押印状態の丸印の印影４０に角度Ｒ（１５°）間隔で測定箇所を設けた状況を示している。印影４０には、印影枠４１の一点を基準（０°）とし、中心角の角度１５°毎となるように枠中心４２から輻射した点線が引かれている。照合装置１７は、印影枠４１と輻射した点線とが重複する幅を測定することより１５°間隔で枠幅４３を測定できる。
【０１０６】
図１３（Ｂ）は、１５°間隔で測定した枠幅４３を順番に並べた場合に表されるグラフ９０を示している。枠幅テンプレート１００は、０°の枠幅４３と丸印の枠幅テンプレートにより生成された線である。
グラフ９０は、０°から３６０°まで略水平で表わされる。したがって、印影枠４１における所要位置の枠幅４３の変化率（増減）は０である。
【０１０７】
このように、正常な押印状態の丸印の印影４０を所定角度毎に測定した枠幅４３は、印影枠４１上全ての箇所で変化率（増減）が０となる。また、印影４０の枠幅４３は、変化率が０であるため枠幅テンプレート１００と規則性が一致する。したがって、枠幅４３は、グラフ９０において枠幅テンプレート１００と略一致して表される。
【０１０８】
図１４（Ａ）は、右側の（０°から１８０°に対応する）印影枠４１が重なった印影４０に角度Ｒ（１５°）間隔で測定箇所を設けた状況を示している。印影４０には、印影枠４１の一点を基準（０°）とし、中心角の角度１５°毎となるように枠中心４２から輻射した点線が引かれている。照合装置１７は、印影枠４１と輻射した点線とが重複する幅を測定することより、１５°間隔で枠幅４３を測定できる。
【０１０９】
図１４（Ｂ）は、１５°間隔で測定した枠幅４３を順番に並べた場合に表されるグラフ９０を示している。枠幅テンプレート１００ａは、０°の枠幅４３と丸印の枠幅テンプレートにより生成された線である。
丸印である場合には、印影枠４１における所要位置の枠幅４３の変化率（増減）が０であるため、枠幅テンプレートを用いて変換する必要がない。したがってグラフ９０は、１５°間隔で測定した枠幅４３を順番に並べた場合に表されるグラフ９０であり、枠幅テンプレートを用いて変換した枠幅４３を順番に並べた場合に表されるグラフ９０でもある。
【０１１０】
グラフ９０は、０°から９０°まで増加し、９０°から１８０°まで減少し、１８０°から３６０°まで略水平である。したがって、印影枠４１における所要位置の枠幅４３の変化率（増減）は、０でない。
【０１１１】
このように、異常な押印状態の丸印の印影４０を所定角度毎に測定した枠幅４３は、印影枠４１における所要位置の変化率（増減）が０とならない。また、印影４０の枠幅４３は、変化率が０でないため枠幅テンプレート１００ａと規則性が一致しない。したがって枠幅４３は、グラフ９０において枠幅テンプレート１００ａと略一致して表されない。
【０１１２】
次に、図１５、図１６を用いて印影４０が角印である場合の枠幅評価処理について説明する。図１５は、第二の実施形態における正常な押印状態の角印である場合の印影の枠幅評価処理の一例を示す。図１６は、第二の実施形態における異常な押印状態の角印である場合の印影の枠幅評価処理の一例を示す図である。
【０１１３】
図１５（Ａ）は、正常な押印状態の角印の印影４０に角度Ｒ（１５°）間隔で測定箇所を設けた状況を示している。印影４０には、印影枠４１の一点を基準（０°）とし、中心角の角度１５°毎となるように枠中心４２から輻射した点線が引かれている。照合装置１７は、印影枠４１と輻射した点線とが重複する幅を測定することより１５°間隔で枠幅４３を測定できる。
【０１１４】
図１５（Ｂ）は、１５°間隔で測定した枠幅４３を順番に並べた場合に表されるグラフ９０を示している。枠幅テンプレート１００は、０°の枠幅４３と角印の枠幅テンプレートにより生成された線である。
【０１１５】
グラフ９０は、一定周期で増減する。具体的には、印影４０の辺の中点に対応する枠幅４３（たとえば、０°）から頂点に対応する枠幅４３（たとえば、４５°）へ測定箇所が移動する際に、枠幅４３は大きさが増加する。そして、頂点に対応する枠幅４３（たとえば、４５°）から中点に対応する枠幅４３（たとえば、９０°）へ測定箇所が移動する際に、枠幅４３は大きさが減少する。このような増減は、各頂点に対応する枠幅４３と、各中点に対応する枠幅４３の間にある。グラフ９０は、９０°間隔を１周期とする４つの波を含む。すなわち、グラフ９０は、所定の周波数成分を含むことから周波数成分を観測することによって正常な押印状態の判定に用いられる。言い換えれば、照合装置１７は、グラフ９０に含まれる周波数成分を観測し、余計な周波数成分が観測された場合に、ずれや重なり等がある異常な押印状態であると判定できる。
【０１１６】
このように、正常な押印状態の角印の印影４０を所定角度毎に測定した枠幅４３は、印影枠４１は一定周期で増減し、変化率（増減）がある。また、正常な押印状態の印影４０であるため、印影４０の枠幅４３は、枠幅テンプレート１００と規則性が一致する。したがって枠幅４３は、グラフ９０において枠幅テンプレート１００と略一致して表される。
【０１１７】
図１６（Ａ）は、右側の（０°から１８０°に対応する）印影枠４１が重なった印影４０に角度Ｒ（１５°）間隔で測定箇所を設けた状況を示している。印影枠４１の右辺は印影枠が重なっているため辺に垂直な向きで太さが等しく太くなっている。
【０１１８】
印影４０には、印影枠４１の一点を基準（０°）とし、中心角の角度１５°毎となるように枠中心４２から輻射した点線が引かれている。照合装置１７は、印影枠４１と輻射した点線とが重複する幅を測定することより、１５°間隔で枠幅４３を測定できる。
【０１１９】
図１６（Ｂ）は、１５°間隔で測定した枠幅４３を順番に並べた場合に表されるグラフ９０を示している。枠幅テンプレート１００ａは、０°の枠幅４３と角印の枠幅テンプレートにより生成された線である。枠幅テンプレート１００ｂは、９０°の枠幅４３と枠幅テンプレート１００により生成された線である。
【０１２０】
グラフ９０は、一定周期で増減しない。具体的には、４５°の枠幅４３から１３５°の枠幅４３における枠幅４３の変化率が、他の測定箇所における枠幅４３の変化率の規則性と異なり、９０°間隔を１周期とする４つの同形状の波が表されない。また、異常な押印状態の印影であるため印影４０の枠幅４３は、枠幅テンプレート１００ａと規則性が一致しない。したがって、枠幅４３は、グラフ９０において枠幅テンプレート１００ａと略一致して表されない。
【０１２１】
枠幅テンプレート１００ａ上に６０°から１２０°のプロットがないことより、６０°から１２０°の枠幅４３はずれがある。具体的には、印影４０は、右辺において印影枠４１が等しく重なり、辺に垂直な向きで太さが等しく太くなっている。しかしながら、グラフ９０の枠幅４３から印影枠４１の重なり具合を読取ることは困難である。たとえば、枠幅４３は、頂点近傍（たとえば、６０°）では枠幅テンプレート１００ａとのずれが大きく、中点近傍で（０°）では枠幅テンプレート１００ａとのずれが小さい。このように印影枠４１の右辺が等しく重なっているにもかかわらず、枠幅４３は、右辺の測定箇所によって枠幅テンプレート１００ａとのずれにばらつきがある。
【０１２２】
また、角印の枠幅４３は、印影枠４１における所要位置の枠幅４３の変化率（増減）がある。このように角印は形状が有する枠幅４３の増減があるため、照合装置１７は、枠幅４３の変換をおこなわずに枠幅４３の平均値を取得し、枠幅４３のずれを許容できるか否か判定することは困難である。
【０１２３】
図１６（Ｃ）は、枠幅テンプレート１００により変換された枠幅４３を順番に並べた場合に表されるグラフ９０ａを示している。枠幅テンプレート１００ｃは、枠幅テンプレート１００により変換された枠幅テンプレート１００ａである。枠幅テンプレート１００ｄは、枠幅テンプレート１００により変換された枠幅テンプレート１００ｂである。
【０１２４】
照合装置１７は、枠幅テンプレート１００を用いた変換によって、印影枠４１の枠幅４３を変換させる。照合装置１７は、枠幅テンプレート１００を用いて変換することで、印影枠４１における所要位置の枠幅４３の変化率（増減）を補正し、変化率（増減）が０となるように変換する。具体的には、照合装置１７は、枠幅テンプレート１００ａ上の枠幅４３を枠幅テンプレート１００ｃ上になるように変換し、枠幅テンプレート１００ｂ上の枠幅４３を枠幅テンプレート１００ｄ上になるように変換する。
【０１２５】
したがって、照合装置１７は、枠幅４３を変換することで、印影枠４１における所要位置の枠幅４３の変化率を補正し、変化率が０となるように変換する。したがって、照合装置１７は、印影枠４１の形状に関係なく丸印と同様（変化率が０の場合）の方法で枠幅４３のずれを許容できるか否かを判定できる。
【０１２６】
このように照合装置１７は、印影枠４１の形状にかかわらず、枠幅４３と枠幅テンプレート１００の規則性にもとづいて押印状態を判定できる。また、照合装置１７は、枠幅テンプレート１００を用いて枠幅４３を変換し、変換後の枠幅４３を評価することで印影枠４１の形状にかかわらず枠幅４３のずれ具合を定量的に把握できる。
【０１２７】
以上が第二の実施形態における照合装置である。
なお、照合装置１７は、変換後のプロットの形状をもとに、ずれ位置やずれ形状も通知し、押印の癖を報知してもよい。
【０１２８】
なお、照合装置１７は、印影枠４１を抽出できればよく、さまざまな印鑑の形状についても、同様に押印状態を判定できる。枠幅データベース１６にない形状である場合に、照合装置１７は、抽出した印影枠４１の形状を正規化し、印影枠４１の枠幅テンプレート１００を生成し、規則性の比較および、枠幅４３の変換に用いるようにしてもよい。
【０１２９】
なお、上記の処理機能は、コンピュータによって実現できる。その場合、情報処理装置１、照合装置１７が有すべき機能の処理内容を記述したプログラムが提供される。そのプログラムをコンピュータで実行することにより、上記処理機能がコンピュータ上で実現される。処理内容を記述したプログラムは、コンピュータで読取り可能な記録媒体（可搬型記録媒体を含む）に記録しておくことができる。コンピュータで読取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ、ＣＤ−Ｒ（Recordable）／ＲＷ（ReWritable）などがある。光磁気記録媒体には、ＭＯ（Magneto-Optical disk）などがある。
【０１３０】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１３１】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読取り、プログラムにしたがった処理を実行する。なお、コンピュータは、可搬型記録媒体から直接プログラムを読取り、そのプログラムにしたがった処理を実行することもできる。また、コンピュータは、サーバコンピュータからプログラムが転送されるごとに、逐次、受け取ったプログラムにしたがった処理を実行することもできる。
【０１３２】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１３３】
１  情報処理装置
２  イメージ取得部
３  抽出部
４  測定部
５  判定部
６  イメージ
７  印影枠
１０  印鑑照合システム
１１  データセンタ
１２  営業店
１３  ネットワーク
１４  ホストコンピュータ
１５  登録情報データベース
１６  枠幅データベース
１７  照合装置
【図１】
2014044695.tif 000003
【図２】
2014044695.tif 000004
【図３】
2014044695.tif 000005
【図４】
2014044695.tif 000006
【図５】
2014044695.tif 000007
【図６】
2014044695.tif 000008
【図７】
2014044695.tif 000009
【図８】
2014044695.tif 000010
【図９】
2014044695.tif 000011
【図１０】
2014044695.tif 000012
【図１１】
2014044695.tif 000013
【図１２】
2014044695.tif 000014
【図１３】
2014044695.tif 000015
【図１４】
2014044695.tif 000016
【図１５】
2014044695.tif 000017
【図１６】
2014044695.tif 000018